(57)【要約】【課題】  カードの挿入方向、後端部が電子機器の筐体から突出しないようにできる新規な構成のカード用コネクタを提供する。【解決手段】  カード用コネクタは、カード受入空洞と、カード受入空洞の一側に設けられ、カードの挿入・抜去の方向で、カードと一体となってスライドできるようにされているスライド部材３１と、スライド部材３１をカードの抜去方向１２に付勢するイジェクトスプリング３２とを備えている。  スライド部材３１に、そのスライド方向と直交する方向に延びる肩部３１５が形成され、この肩部３１５にスライドロックばね３３が係合・離脱可能に設けられていると共に、スライドロックばね３３の肩部３１５との係合を離脱させるためのイジェクトバー３４が、カードの挿入・抜去の方向でスライド可能に設けられている。【選択図】  図１
2005209575.tif 000002
【特許請求の範囲】
【請求項１】
カード受入空洞（１１）と、カード受入空洞（１１）の一側に設けられ、カード（２０）の挿入・抜去の方向で、カード（２０）と一体となってスライドできるようにされているスライド部材（３１）と、スライド部材（３１）をカード（２０）の抜去方向に付勢するイジェクトスプリング（３２）とを備えているカード用コネクタ（１０）において、
前記スライド部材（３１）に、カード（２０）の抜去方向に向かって上り勾配の斜面（３１４）が設けられ、この上り勾配の斜面（３１４）にスライドロック部材（３３）が弾接しており、上り勾配の斜面（３１４）の端の肩部（３１５）とスライドロック部材（３３）のフック部（３３２）が係合・離脱可能にされていると共に、
イジェクトバー（３４）が、カード（２０）の挿入・抜去の方向でスライド可能に設けられ、イジェクトバー（３４）の上縁部（３４１）に形成した、カード（２０）の抜去方向に向かって上り勾配の傾斜縁（３４４）に前記フック部（３３２）の近傍部分を対向させてあり、
イジェクトバー（３４）をカード（２０）の挿入方向にスライドさせることによって、前記傾斜縁（３４４）がスライドロック部材（３１）のフック部（３３２）の近傍部分を上側に移動させて、前記肩部（３１５）に係合した前記フック部（３３２）を肩部（３１５）から離脱させる構成としたことを特徴とするカード用コネクタ。
【請求項２】
前記カード受入空洞（１１）は、複数の端子（７０）が装着された絶縁ハウジング（６０）と、
絶縁ハウジング（６０）を略覆う大きさの略方形の天板（５１）と、天板（５１）の側縁から略直角に垂下する側板（５２、５３）を有するメタルシェル（５０）とで画成され、
前記スライドロック部材（３３）が、前記メタルシェル（５０）の天板（５１）内に片持ち梁状に切り起こされたスライドロックばね（３３）で構成されている請求項１に記載のカード用コネクタ。
【請求項３】
前記スライドロックばね（３３）は、自由端（３３１）にフック部（３３２）が形成されていると共に、自由端（３３１）の一側に張り出し部（３３３）を有し、前記フック部（３３２）の近傍部分は、この張り出し部（３３３）である請求項２に記載のカード用コネクタ。
【請求項４】
前記張り出し部（３３３）は、前記フック部（３３２）と反対方向に湾曲するカール部（３３４）を有し、このカール部（３３４）が前記イジェクトバー（３４）の上縁部（３４１）と対向している請求項３に記載のカード用コネクタ。
【請求項５】
前記イジェクトバー（３４）は、前記メタルシェル（５０）の側板（５２）の外側に沿ってスライド可能に設けられている請求項２に記載のカード用コネクタ。
【請求項６】
カード受入空洞（１１）と、カード受入空洞（１１）の一側に設けられ、カード（２０）の挿入・抜去の方向で、カード（２０）と一体となってスライドできるようにされているスライド部材（３１）と、スライド部材（３１）をカード（２０）の抜去方向に付勢するイジェクトスプリング（３２）とを備えているカード用コネクタ（１０）において、
前記スライド部材（３１）に、そのスライド方向と直交する方向に延びる肩部（３１５）が形成され、この肩部（３１５）にスライドロック部材（３３）が係合・離脱可能に設けられていると共に、
スライドロック部材（３３）の前記肩部（３１５）との係合を離脱させるためのイジェクトバー（３４）が、前記カード（２０）の挿入・抜去の方向でスライド可能に設けられていることを特徴とするカード用コネクタ。
【請求項７】
前記スライド部材（３１）の肩部（３１５）は、カード（２０）の抜去方向に向かって上り勾配の斜面（３１４）の端で形成され、前記スライドロック部材（３３）は、前記上り勾配の斜面（３１４）に弾接しているスライドロックばね（３３）で構成されて、スライドロックばね（３３）の自由端（３３１）に前記肩部（３１５）と係合・離脱するフック部（３３２）が形成されている請求項６に記載のカード用コネクタ。
【請求項８】
前記イジェクトバー（３４）は、カード（２０）の抜去方向に向かって上り勾配の傾斜縁（３４４）を上縁部（３４１）に有しており、前記スライドロックばね（３３）のフック部（３３２）近傍と前記傾斜縁（３４４）を対向させてある請求項７に記載のカード用コネクタ。
【請求項９】
前記カード受入空洞（１１）は、複数の端子（７０）が装着された絶縁ハウジング（６０）と、
絶縁ハウジング（６０）を略覆う大きさの略方形の天板（５１）と、天板（５１）の側縁から略直角に垂下する側板（５２、５３）を有するメタルシェル（５０）とで画成され、
前記スライドロック部材（３３）が、前記メタルシェル（５０）の天板（５１）内に片持ち梁状に切り起こされたスライドロックばね（３３）で構成されている請求項６〜８のいずれかに記載のカード用コネクタ。
【請求項１０】
前記イジェクトバー（３４）は、前記メタルシェル（５０）の側板（５２）の外側に沿ってスライド可能に設けられている請求項９に記載のカード用コネクタ。
【発明の詳細な説明】
【技術分野】
【０００１】
この発明は、メモリーカードその他のカード状媒体（これらを代表して単に「カード」という）を受け入れて電気的な接続ができるようにしたカード用コネクタに関する。
【背景技術】
【０００２】
従来、この種のカード用コネクタは、略方形で板状のカードを挿入・抜去可能に受け入れるカード受入空洞と、このカード受入空洞の一側に設けられて、カードの挿入・抜去の方向で、カードと一体となってスライドできるようにされているスライド部材を備えた構成とされている。スライド部材に対しては、これをカードの抜去方向に付勢するイジェクトスプリングが設けられて、カード排出機構を構成している。
【０００３】
前記カード排出機構は、小型化が進むカード用コネクタにおいては、いわゆるプッシュ／プッシュ式の機構が現在、主流となっている。プッシュ／プッシュ式のカード排出機構は、前記スライド部材が、ハート形のカム溝が設けられたカムスライダーとされて、カム溝にカムピンあるいはカムフォロワを係合させた状態で前記イジェクトスプリングでカードの抜去方向に常時付勢された構成にされる。
【０００４】
カードをカード受入空洞に挿入する場合、カードをカード受入空洞の最奥部まで進入させて、挿入力を解除する。挿入力を解除されたカードは、カムスライダーと共にイジェクトスプリングの付勢力で抜去方向に僅かに戻され、カムピンとカム溝の係合関係で決まる一定の位置（接続位置）で停止し、その状態が維持される。そして、カードをカード受入空洞から抜去する時も、カードを再びカード受入空洞の最奥部まで進入させて、この挿入力を解除する。このときは、カムピンとカム溝の係合関係が変化し、カードはカムスライダーと共にイジェクトスプリングの付勢力で抜去方向に大きくスライドし、カードをカード受入空洞から排出させる（特許文献１〜３参照）。
【０００５】
【特許文献１】特開２００２−２５２０４７号公報  （図１、２）
【特許文献２】特開２００２−３１９４５１号公報  （図１、３、６）
【特許文献３】特開２００３−６８３９９号公報  （図１〜図５）
【発明の開示】
【発明が解決しようとする課題】
【０００６】
プッシュ／プッシュ式のカード排出機構を採用したカード用コネクタは、前記のようにカードを抜去する際に、カードを挿入方向に一旦進入させる操作が必要であったので、このカード用コネクタをデジタルスチルカメラ、携帯電話機等の電子機器に搭載した場合、カードがカード受入空洞に挿入されて接続位置で停止、維持されている状態で、カードの挿入方向、後端部が前記電子機器の筐体から突出するようにするか、あるいは、筐体側に切り欠きを設けて、カードの後端部を露出させて操作できるようにしなければならなかった。
しかしながら、カードの後端部が、接続状態において電子機器の筐体から突出していると、誤ってカードが押し込まれて、カードが排出される事態を招いたり、カードを紛失するおそれさえあった。
また、電子機器の筐体に、カードの操作のための切り欠きを設けることは、筐体の作製上、余分な加工を強いられるといった問題があった。
【０００７】
この発明は、このようなプッシュ／プッシュ式のカード排出機構を採用した場合の問題点に鑑みて成されたもので、カードの挿入方向、後端部が電子機器の筐体から突出しないようにできる新規な構成のカード用コネクタを提供することを目的としている。
【課題を解決するための手段】
【０００８】
このような目的のもとに成されたこの発明のカード用コネクタは、カード受入空洞と、カード受入空洞の一側に設けられ、カードの挿入・抜去の方向で、カードと一体となってスライドできるようにされているスライド部材と、スライド部材をカードの抜去方向に付勢するイジェクトスプリングとを備えているカード用コネクタにおいて、
前記スライド部材に、カードの抜去方向に向かって上り勾配の斜面が設けられ、この上り勾配の斜面にスライドロック部材が弾接しており、上り勾配の斜面の端の肩部とスライドロック部材のフック部が係合・離脱可能にされていると共に、
イジェクトバーが、カードの挿入・抜去の方向でスライド可能に設けられ、イジェクトバーの上縁部に形成した、カードの抜去方向に向かって上り勾配の傾斜縁に前記フック部の近傍部分を対向させてあり、
イジェクトバーをカードの挿入方向にスライドさせることによって、前記傾斜縁がスライドロック部材のフック部の近傍部分を上側に移動させて、前記肩部に係合した前記フック部を肩部から離脱させる構成としたことを特徴とするカード用コネクタである。
【０００９】
また、カード受入空洞と、カード受入空洞の一側に設けられ、カードの挿入・抜去の方向で、カードと一体となってスライドできるようにされているスライド部材と、スライド部材をカードの抜去方向に付勢するイジェクトスプリングとを備えているカード用コネクタにおいて、
前記スライド部材に、そのスライド方向と直交する方向に延びる肩部が形成され、この肩部にスライドロック部材が係合・離脱可能に設けられていると共に、
スライドロック部材の前記肩部との係合を離脱させるためのイジェクトバーが、前記カードの挿入・抜去の方向でスライド可能に設けられていることを特徴とするカード用コネクタである。
【００１０】
以下で説明するこの発明の実施の形態では、前記カード受入空洞が複数の端子が装着された絶縁ハウジングと、絶縁ハウジングを略覆う大きさの略方形の天板と、天板の側縁から略直角に垂下する側板を有するメタルシェルとで画成されている。そして、前記スライドロック部材が、メタルシェルの天板内に片持ち梁状に切り起こされたスライドロックばねで構成されている。また、前記イジェクトバーは、メタルシェルの側板の外側に沿ってスライド可能に設けられている。
【００１１】
この発明のカード用コネクタでは、カードの挿入を介してスライド部材とスライドロック部材を係合させて、イジェクトスプリングで付勢されているスライド部材の抜去方向のスライドを停止させ、カードを接続位置に保持することができる。また、イジェクトバーのスライドを介してスライド部材とスライドロック部材の係合を離脱させて、カードをイジェクトスプリングで付勢されているスライド部材を介して抜去することができる。つまり、カードの抜去に際しては、カードの挿入方向、後端部を挿入方向に押し込むような操作は行われない。
【発明の効果】
【００１２】
このように、この発明のカード用コネクタによれば、カードの抜去がカードの後端部を押し込むことなく行えるので、搭載電子機器では、カードの後端部が機器の筐体から突出しないようにでき、また、筐体に切り欠きを設けるなどの余分な加工の必要性をなくできる効果がある。そして、カードに対する誤った抜去操作や、カードの紛失を避けることができる。
【発明を実施するための最良の形態】
【００１３】
以下、この発明の実施の形態を添付の図を参照して説明する。
【００１４】
図１及び図２は、実施形態のカード用コネクタ１０（図３〜６）に設けられたスライド部材３１を取り出して、他の要素との関係を立体的に示したものである。即ち、図１は、スライド部材３１と、イジェクトスプリング３２と、スライドロックばね３３と、イジェクトバー３４とで構成されるカード排出機構３０の構成を示している。また、図２は、スライド部材３１にカード２０が一体的に係合する構成を示している。図１には、カード２０の抜去方向が矢示１２で示され、図２には、カード２０の挿入方向が矢示１４で示されている。
【００１５】
カード用コネクタ１０は、図３〜６に示されているように、メタルシェル５０と、このメタルシェル５０に対向している絶縁ハウジング６０とを有しており、メタルシェル５０と絶縁ハウジング６０の間にカード受入空洞１１を画成している。カード受入空洞１１は、図３において上側の一端が開口してカード挿入口１３を形成し、カード挿入口１３を通して略方形で板状のカード２０を挿入・抜去できるようにしている。図３、４には、カード２０の抜去の方向が矢示１２で示されている。メタルシェル５０は、ステンレス板等の金属板を打ち抜いて成形したものであり、絶縁ハウジング６０は、絶縁性のプラスチックを射出成形したものである。
【００１６】
絶縁ハウジング６０には、図３、５、６に表れているように、底壁６１に複数の導電性の端子７０が並列して装着されており、各端子７０のコンタクト片７１が片持ち梁状となってカード受入空洞１１に臨んでいる。端子７０は、りん青銅などの弾力性の高い金属板を打ち抜いて成形されたものである。カード２０がカード受入空洞１１に完全に挿入されると、カード２０の底面に設けた接点パッド（図示せず）とコンタクト片７１が所定の接触圧で圧接、係合し、カード２０と端子７０が電気的に接続するようになっている。メタルシェル５０は、絶縁ハウジング６０の底壁６１と対向している天板５１と、天板５１の両側縁に略直角に連続して、絶縁ハウジング６０の外側に垂下する側板５２、５３とを有している。
【００１７】
図１、２において示したスライド部材３１は、メタルシェル５０と絶縁ハウジング６０によって画成されたカード受入空洞１１の一側に、カード２０の挿入・抜去の方向でスライド可能に設置されている。即ち、カード２０をカード受入空洞１１に挿入すると、カード２０とスライド部材３１は互いに係合して一体となり、両部材は一緒になってカード受入空洞１１内を移動するようになっている。
【００１８】
スライド部材３１は、図１、２においては、カード２０やスライドロックばね３３などとの相互関係が理解できる限度で概略的に示されているが、図７〜１１にはいくつかの面が正確に示されている。スライド部材３１は、絶縁ハウジング６０と同様に絶縁性のプラスチックを成形したものである。後端（図１の右端、図７、８の左端）側にイジェクトスプリング３２の一端を収容できるようにしたスプリング収容孔３１１が設けられていると共に、後端から前端に亘って縦向きの仕切壁３１２を有している。仕切壁３１２を挟んで外側に段状部分３１３が形成され、その前端側にカード２０の抜去方向（矢示１２）に向かって上り勾配となる上り勾配斜面３１４が形成され、上り勾配斜面３１４の端（頂上側）を、スライド部材３１のスライド方向と直交する方向で延びる肩部３１５としている。
【００１９】
図２に表れている、仕切壁３１２の内面３１２ａ側は、カード受入空洞１１に挿入されるカード２０の側端面２２と対向する側で、内面３１２ａの後端部に突出部３１６が設けられている。そして、この突出部３１６に、カード２０の挿入方向前端角部に極性決めのために設けられる斜切コーナー２３と対向して当接できるようにした斜め壁面３１７が形成されている。更に、斜め壁面３１７の下部からは、仕切壁３１２に沿うようにして係合フック３１８が片持ち梁状に延びている。
【００２０】
係合フック３１８の先端上側には、山状突起３１８ａが設けられて、カード２０の斜切コーナー２３が斜め壁面３１７に当接すると、係合フック３１８の山状突起３１８ａが、カード２０の側端面２２に形成されている凹部２１に下側から突入して係合し、カード２０とスライド部材３１が一体化するようになっている。
【００２１】
カード受入空洞１１にスライド可能に設置されたスライド部材３１は、イジェクトスプリング３２でカード２０の抜去の方向（矢示１２）に常時付勢されている。イジェクトスプリング３２は、コイルスプリングでなり、一端がスライド部材３１のスプリング収容孔３１１に収容され、他端は絶縁ハウジング６０の対向する壁面に当接させて、弾発状態で装着されている。
【００２２】
イジェクトスプリング３２で抜去方向に常時付勢されているスライド部材３１の抜去方向のスライドを制御するためのスライドロック部材として、前記メタルシェル５０にスライドロックばね３３が設けられ、このスライドロックばね３３を操作するために、イジェクトバー３４が設けられている。
【００２３】
スライドロックばね３３は、メタルシェル５０の天板５１内に片持ち梁状に切り起こされたばね片で構成されて、スライド部材３１の段状部分３１３と対向する位置に配置されている。基部が天板５１に連続しているスライドロックばね３３の自由端３３１は、カード挿入口１３の方向に延びて、前下がりで傾斜しており、先端に下向きに湾曲させたフック部３３２が形成されている。
【００２４】
また、スライドロックばね３３の自由端３３１の外側には、更に張り出し部３３３が設けてある。この張り出し部３３３の先端は、前記フック部３３２と反対の上向きに湾曲させてカール部３３４が形成されている。張り出し部３３３は、メタルシェル５０の側板５２を跨いで外側に位置するようになっている。図１２、１３には、このスライドロックばね３３の部分のみが示されている。
【００２５】
そして、スライドロックばね３３の自由端３３１の外側に設けた張り出し部３３３と対向するようにして、メタルシェル５０の側板５２の外側に沿わせてイジェクトバー３４が設けられている。図１のイジェクトバー３４も概略的に示されたもので、図１４〜１７には、イジェクトバー３４の４面図が正確に示されている。
【００２６】
イジェクトバー３４は、金属板を打ち抜いて図示のように成形されたもので、段状に形成された上縁部３４１と操作摘み３４２を有している。段状の上縁部３４１には、水平縁３４３、傾斜縁３４４、水平縁３４５が連続して配置されている。傾斜縁３４４は、矢示１２のカード２０の抜去方向に向かって上り勾配となっている。
【００２７】
イジェクトバー３４は、メタルシェル５０の側板５２の外側に沿うように設置されて、側板５２に切り起こしたいくつかの保持爪５2１で保持されて、カード２０の挿入・抜去の方向でスライドできるようにしている。そして、イジェクトバー３４の後端に形成したスプリング係止片３４６と、側板５２に切り起こしたスプリング係止片５２２の間にコイルスプリング３５が張設されて、図４に示された位置を維持するようにされている。操作摘み３４２を押して、イジェクトバー３４をカード２０の挿入方向にスライドさせるとコイルスプリング３５が延び、押し込んだ力を除くと、コイルスプリング３５の弾力で図４に示された位置に戻るようになっている。
【００２８】
図１８〜２０は、以上のように構成されたカード用コネクタ１０にカード２０を未だ挿入していない状態を表している。カード受入空洞１１にスライド可能に設置したスライド部材３１は、イジェクトスプリング３２で付勢されてカード挿入口１３側に移動した一定の位置で停止している。イジェクトバー３４も、図４及び図１９に示された一定の位置で停止している。この時、メタルシェル５０に設けたスライドロックばね３３は、自由端３３１に形成したフック部３３２が、図２０のように、スライド部材３１の上り勾配斜面３１４の表面に弾接してスライド部材３１を下方向へ向けて押し込むように仮保持した形となっており、張り出し部３３３に形成したカール部３３４が、図１９のように、イジェクトバー３４の傾斜縁３４４と間隙を保って対向している。
【００２９】
図２１〜２３は、カード２０をカード挿入口１３を通してカード受入空洞１１に挿入し、カード２０の挿入方向前端２４がカード受入空洞１１の最奥部に達して、カード２０と前記端子７０が接続状態となった時の図である。カード２０をカード受入空洞１１に挿入すると、スライド部材３１もカード２０と一体となってスライドし、イジェクトスプリング３２を圧縮しながら最奥部まで移動する。スライド部材３１の上り勾配斜面３１４も移動することになるので、スライドロックばね３３のフック部３３２は、図２３に示すように、相対的に肩部３１５側に移動することとなり、これによって上方向に向かって弾性変形し、スライドロックばね３３の弾力によってフック部３３２が肩部３１５に係合する。この結果、イジェクトスプリング３２の反発力で抜去方向に付勢されているスライド部材３１はロックされた状態となり、そして、スライド部材３１と一体となっているカード２０を接続状態の位置に安定的に保持する。
【００３０】
図２４〜２９は、上記のように挿入されたカード２０を抜去するときの図を示している。図２４〜２６は、イジェクトバー３４を操作した段階であり、図２７〜２９はカード２０が排出された段階である。カード２０の抜去は、イジェクトバー３４をカード２０の挿入方向（矢示１４）に押し込むようにして行うことができる。イジェクトバー３４を押し込んで挿入方向にスライドさせると、図２４、２５に示されているように、上縁部３４１に形成した傾斜縁３４４がスライドロックばね３３側のカール部３３４と対向するようになって移動しながら摺接するようになり、これによりスライドロックばね３３は傾斜縁３４４に沿って上側へ押し上げられ、最終的に、スライドロックばね３３の自由端３３１が上側へ押し上げられる。その後、前記カール部３３４は、イジェクトバー３４の移動により、イジェクトバー３４の水平縁３４５に摺接して前記自由端３３１は上側へ押し上げられた状態が維持される。この結果、スライド部材３１の肩部３１５に係合していたフック部３３２を、図２６のように、肩部３１５から外し、スライド部材３１のロックを解除することができる。
【００３１】
ロックが解除されたスライド部材３１は、イジェクトスプリング３２の反発力で、図２７のように、カード２０の抜去方向（矢示１２）にスライドすることとなり、一体のカード２０もカード挿入口１３へ排出することができる。図２８は、イジェクトバー３４を押し込んだ状態となっているが、イジェクトバー３４を押し込んだ力を除くと、コイルスプリング３５の引張力でイジェクトバー３４は抜去方向にスライドし、図２２の状態に復帰する。
【００３２】
このように、カード２０の抜去に際して、イジェクトバー３４をカード２０の挿入方向に押し込むようにし、カード２０を押し込むような操作は行われないようにした、この発明のカード用コネクタ１０によれば、電子機器などの筐体８０との関係を図２１、２２のようにすることができる。即ち、カード２０がカード用コネクタ１０に挿入されて接続状態となった時に、カード２０の挿入方向後端面２６が筐体８０の外面８１と同一面となるようにすることができる。このように、カード２０の後端面２６が筐体８０から突出しないようにすることで、カード２０に予期しない外力が働いて誤って抜去されたり、紛失したりする不具合をなくすることができる。尚、この発明のカード用コネクタ１０は、筐体８０内に設置されて使用されることが多く、実際のカード２０のイジェクト操作は、イジェクトバー３４の操作摘み３２４を筐体８０の側面に設けた開口から突出させ（図示せず）、この操作摘み３２４に絶縁材料製のボタン等を取り付けて、イジェクトバー３４をカード２０の挿入方向へ直接操作するようにするか、あるいは、前記操作摘み３２４をカード２０の挿入方向へ操作するような機構を操作摘み３２４に更に付加して連動させるようにすることもできる。
【００３３】
図３０〜３２は、実施形態のカード用コネクタ１０において設けられたカード２０の飛び出しを防止する手段を表している。スライド部材３１とカード２０が図２４から図２７に移行する段階で、スライド部材３１は、図２７に示される一定の位置でスライドが停止されるが、カード２０はスライドの慣性でスライド部材３１から離れてカード挿入口１３の方向へ飛び出すことがある。このようなカード２０の飛び出しがあっても落下しないようにするのが飛び出しを防止する手段である。
【００３４】
カード２０の飛び出しを防止する手段は、カード２０の側端面２２に形成された凹部２１と、この凹部２１に係合するようにした飛び出し防止ばね４０とで構成されている。飛び出し防止ばね４０は、メタルシェル５０の天板５１内に図のように切り起こされている。飛び出し防止ばね４０は、基部４１が天板５１に連続する片持ち梁状に形成されている。図３２に表れているように、飛び出し防止ばね４０は、全長に亘って略同一幅の帯板の形状をしており、カード２０の側端面２２と対向するように延びている。そして、自由端４２側に、Ｖ字状の屈曲部で構成された突起部４３がカード２０側に突出するようにして設けられている。
【００３５】
飛び出し防止ばね４０は、前記カード挿入口１３の近くに配置されており、カード２０をカード受入空洞１１に完全に挿入した時には、カード２０に形成された凹部２１は突起部４３を越えて奥に進入し、突起部４３はカード２０の側端面２２で押し出され、飛び出し防止ばね４０がカード２０から遠ざかる方向（外方向）に弾性変形するようにしている。
【００３６】
カード２０をカード受入空洞１１から抜去する際に、カード２０が慣性によって飛び出して、凹部２１が飛び出し防止ばね４０の突起部４３に対向すると、突起部４３が凹部２１に係合して飛び出しを停止させ、カード２０がカード受入空洞１１から脱落するのを防止できるようにしている。
【図面の簡単な説明】
【００３７】
【図１】この発明の実施形態のカード用コネクタの、要部を取り出して示した分解斜視図である。
【図２】同じく実施形態のカード用コネクタの、要部を取り出して示した別の分解斜視図である。
【図３】同じく実施形態のカード用コネクタの平面図である。
【図４】同じく実施形態のカード用コネクタの右側面図である。
【図５】同じく実施形態のカード用コネクタの、カード挿入口側から見た正面図である。
【図６】同じく実施形態のカード用コネクタの、端子に沿って表した一部拡大断面図である。
【図７】スライド部材の平面図である。
【図８】同じくスライド部材の正面図である。
【図９】同じくスライド部材の背面図である。
【図１０】同じくスライド部材の左側面図である。
【図１１】同じくスライド部材の右側面図である。
【図１２】スライドロックばねの平面図である。
【図１３】同じくスライドロックばねの正面図である。
【図１４】イジェクトバーの平面図である。
【図１５】同じくイジェクトバーの正面図である。
【図１６】同じくイジェクトバーの左側面図である。
【図１７】同じくイジェクトバーの右側面図である。
【図１８】実施形態のカード用コネクタに未だカードが挿入されていない状態を説明する平面図である。
【図１９】図１８のＢ−Ｂ線の沿って示した説明図である。
【図２０】図１８のＣ−Ｃ線に沿って示した説明図である。
【図２１】実施形態のカード用コネクタにカードを挿入した状態を説明する平面図である。
【図２２】図１９に対応する説明図である。
【図２３】図２０に対応する説明図である。
【図２４】実施形態のカード用コネクタに挿入されたカードを抜去する時の第１段階を説明する平面図である。
【図２５】図１９に対応する説明図である。
【図２６】図２０に対応する説明図である。
【図２７】実施形態のカード用コネクタに挿入されたカードを抜去する時の第２段階を説明する平面図である。
【図２８】図１９に対応する説明図である。
【図２９】図２０に対応する説明図である。
【図３０】実施形態のカード用コネクタに設けた、カードの飛び出しを防止する手段の部分の斜視図である。
【図３１】カードの飛び出しを防止する手段を構成した飛び出し防止ばねの平面図である。
【図３２】図３１のＡ−Ａ線に沿って示した断面図である。
【符号の説明】
【００３８】
１０          カード用コネクタ
１１          カード受入空洞
１３          カード挿入口
２０          カード
２１          凹部
２２          側端面
２３          斜切コーナー
２４          挿入方向前端
２５          表面
２６          後端面
３０          カード排出機構
３１          スライド部材
３１１        スプリング収容孔
３１２        仕切壁
３１２ａ      仕切壁の内面
３１３        段状部分
３１４        上り勾配斜面
３１５        肩部
３１６        突出部
３１７        斜め壁面
３１８        係合フック
３１８ａ      山状突起
３２          イジェクトスプリング
３３          スライドロックばね
３３１        自由端
３３２        フック部
３３３        張り出し部
３３４        カール部
３４          イジェクトバー
３４１        上縁部
３４２        操作摘み
３４３        水平縁
３４４        傾斜縁
３４５        水平縁
３４６        スプリング係止片
３５          コイルスプリング
４０          飛び出し防止ばね
４１          基部
４２          自由端
４３          突起部
５０          メタルシェル
５１          天板
５２          側板
５２１        保持爪
５２２        スプリング係止片
５３          側板
６０          絶縁ハウジング
６１          底壁
７０          端子
７１          コンタクト片
８０          筐体
８１          外面
【図１】
2005209575.tif 000003
【図２】
2005209575.tif 000004
【図３】
2005209575.tif 000005
【図４】
2005209575.tif 000006
【図５】
2005209575.tif 000007
【図６】
2005209575.tif 000008
【図７】
2005209575.tif 000009
【図８】
2005209575.tif 000010
【図９】
2005209575.tif 000011
【図１０】
2005209575.tif 000012
【図１１】
2005209575.tif 000013
【図１２】
2005209575.tif 000014
【図１３】
2005209575.tif 000015
【図１４】
2005209575.tif 000016
【図１５】
2005209575.tif 000017
【図１６】
2005209575.tif 000018
【図１７】
2005209575.tif 000019
【図１８】
2005209575.tif 000020
【図１９】
2005209575.tif 000021
【図２０】
2005209575.tif 000022
【図２１】
2005209575.tif 000023
【図２２】
2005209575.tif 000024
【図２３】
2005209575.tif 000025
【図２４】
2005209575.tif 000026
【図２５】
2005209575.tif 000027
【図２６】
2005209575.tif 000028
【図２７】
2005209575.tif 000029
【図２８】
2005209575.tif 000030
【図２９】
2005209575.tif 000031
【図３０】
2005209575.tif 000032
【図３１】
2005209575.tif 000033
【図３２】
2005209575.tif 000034